(57)【要約】      （修正有）【課題】庭園の地面表層部が狭い広さであっても、地面表層部の隅部に広い面積で残すことなしに、簡便に穿孔を施すことができる庭園穿孔用装置を提供する。【解決手段】上方に延長の１つの入力用軸と下方に延長の複数の出力用軸とを有するドリル駆動機構を収容しているドリル駆動機構収容部１と、出力用軸８１，８２に着脱自在に取付けられている複数の庭園穿孔用ドリル本体９１，９２と、ドリル駆動機構収容部に上方に延長して取り付けられている支柱と、その支柱の上端に取り付けられている把手と、ドリル本体１４１を設ける。且つ、そのドリル本体をドリル駆動機構収容部の入力用軸７に着脱自在に取付けている状態で、支柱に取付具を用いて着脱自在に取り付けられている市販の家庭用小型電動ドリル１４と、ドリル駆動機構収容部に上下位置調整自在に取付けられている地面表層部への穿孔の深さを制限するストッパ５０とを有する。【選択図】図１
0003169109.tif 000002
【実用新案登録請求の範囲】
【請求項１】
平らな下面を有し且つ上記下面に対して垂直に上方に臨んで延長している１つの入力用軸または入力用軸受と上記下面に対して垂直に下方に臨んで延長している２以上８以下の数でなる複数の出力用軸または出力用軸受とを有するドリル駆動機構を収容しているドリル駆動機構収容部と、
そのドリル駆動機構収容部の上記複数の出力用軸または出力用軸受に上記下面と垂直に下方に延長するようにそれぞれ着脱自在に取付けられている木工用ドリル本体に準じた形状及び構造を有する複数の庭園穿孔用ドリル本体と、
上記ドリル駆動機構収容部にそれと一体に上方に延長して取り付けられている支柱と、
その支柱にその上端においてそれと一体に取り付けられている把手と、
ドリル本体を有し、そのドリル本体をその遊端において上記ドリル駆動機構収容部の入力用軸または入力用軸受に着脱自在に取付けている状態で、上記支柱に取付具を用いて着脱自在に取り付けられている市販の家庭用小型電動ドリルと、
上記把手に取り付けられている上記家庭用小型電動ドリルを駆動させるための駆動用電源スイッチと、
上記ドリル駆動機構収容部に上下位置調整自在に取付けられている上記庭園穿孔用ドリル本体による地面表層部への穿孔の深さを制限するストッパとを有することを特徴とする庭園穿孔用装置。
【考案の詳細な説明】
【技術分野】
【０００１】  本考案は、庭園の芝植生地面表層部などの地面表層部にエアレーション効果、排水効果、植物根茎切断効果などを与えるために、庭園の地面表層部にその表面から多数の穿孔を施すのに用いて好適な庭園穿孔用装置に関する。
【背景技術】
【０００２】  特開昭６３−０２４８０３号公報に、発明の名称を「芝植生地面用多軸穴あけ装置」とする穿孔用装置が開示されている。
その穿孔用装置は、駆動用後輪と操向用前輪とを備えた自走車を用い、その車体フレーム上に油圧シリンダでリンク機構を介して駆動される昇降体を設置し、その昇降体に油圧モータによって駆動されるドリルを多数取付けている構成を有し、昇降体を油圧シリンダで降下させ且つ多数のドリルを油圧モータで駆動させることにより、その多数のドリルで地面表層部にその表面から多数の穿孔を施すようになされている。
【特許文献１】特開昭６３−０２４８０３号公報
【考案の開示】
【考案が解決しようとする課題】
【０００３】  特開昭６３−０２４８０３号公報に開示されている穿孔用装置は、自走車を用いていることから、ゴルフ場におけるコースのような広い面積の地面表層部に多数の穿孔を施すのに好適である。【０００４】  しかしながら、庭園の地面表層部が、個人住宅においてみられるような、自走車も入れないような広さしか有しない場合は、そのような庭園の地面表層部に穿孔を施すことはできず、また、庭園の地面表層部が、自走車がやっと入るというような比較的狭い広さの場合は、そのような庭園の地面表層部に穿孔の施されていない部を地面表層部の隅部において広い面積で残すことなしに、穿孔を施すのに好適であるとはいえない、という欠点を有していた。【０００５】  また、自走車、油圧シリンタで駆動される昇降体、油圧モータで駆動される多数のドリルなどの大型の機材乃至機器を必要とするとともに、油圧シリンダ及び油圧モータの駆動による地面表層部への多数の穿孔が簡便であるとはいえない、という欠点を有していた。
さらに、自走車を用いた大型構成であるため、不使用時の格納場所を広く確保する必要がある、という欠点を有していた。【０００６】  よって、本考案は、上述した欠点のない新規な庭園穿孔用装置を提案せんとするものである。
【課題を解決するための手段】
【０００７】  本考案による庭園穿孔用装置は、平らな下面を有し且つその下面に対して垂直に上方に臨んで延長している１つの入力用軸または入力用軸受と上記下面に対して垂直に下方に臨んで延長している２以上８以下の数でなる複数の出力用軸または出力用軸受とを有するドリル駆動機構を収容しているドリル駆動機構収容部と、そのドリル駆動機構収容部の上記複数の出力用軸または出力用軸受に上記下面と垂直に下方に延長するようにそれぞれ着脱自在に取付けられている木工用ドリル本体に準じた形状及び構造を有する複数の庭園穿孔用ドリル本体と、上記ドリル駆動機構収容部にそれと一体に上方に延長して取り付けられている支柱と、その支柱にその上端においてそれと一体に取り付けられている把手と、ドリル本体を有し、そのドリル本体をその遊端において上記ドリル駆動機構収容部の入力用軸または入力用軸受に着脱自在に取付けている状態で、上記支柱に取付具を用いて着脱自在に取り付けられている市販の家庭用小型電動ドリルと、上記把手に取り付けられている上記家庭用小型電動ドリルを駆動させるための駆動用電源スイッチと、上記ドリル駆動機構収容部に上下位置調整自在に取付けられている、上記庭園穿孔用ドリル本体による地面表層部への穿孔の深さを制限するストッパとを有する。
【考案の効果】
【０００８】  本考案による庭園穿孔用装置によれば、ドリル駆動機構収容部の上面からみた縦横幅は、ドリル駆動機構収容部の下面の縦横幅で決まり、その縦横幅は庭園穿孔用ドリル本体の数と、地面表層部に施される相隣る穿孔の間隔に応じた相隣る庭園穿孔用ドリル本体間間隔とによって決まるが、庭園穿孔用ドリル本体の数が８本以下であり、相隣る穿孔の間隔は８〜１２ｃｍ程度であればよいとされ、従って相隣る庭園穿孔用ドリル本体間間隔は８〜１２ｃｍ程度であればよいとされていることから、ドリル駆動機構収容部の縦横幅は、庭園穿孔用ドリル本体の数が４本である場合でみれば、縦横幅１５〜２０ｃｍ程度でよく、また、ドリル駆動機構収容部が収容しているドリル駆動機構は、入力用軸に取付けられた主歯車と、複数の出力用軸にそれぞれ取付けられた複数の従歯車と、主歯車から複数の従歯車にめぐらされている無端ベルトまたは無端チェーンとを有する構成であればよいので、ドリル駆動機構収容部は、薄い厚さでよく、小型軽量になるものである。【０００９】  また、家庭用小型電動ドリルは、字句通り家庭用であることから小型軽量であり、さらに、支柱は外径２〜３ｃｍ程度であるのを可とする太さの樹脂製パイプでよいことから、小型軽量であり、他に大型重量化する部材を有しない。【００１０】  以上のことから、本考案による庭園穿孔用装置によれば、それを、複数の庭園穿孔用ドリル本体の先端が地面表層部の表面上に立っている状態から、把手を握って容易に持ち上げることができ、よって、複数の庭園穿孔用ドリル本体を地面表層部の所望の位置に容易に立てることができ、そして、その状態で駆動用電源スイッチを入れさえすれば、把手を上から押し付けなくても、ドリル本体が木工用ドリル本体に準じた形状及び構造を有することから、地面表層部の所望の位置に円滑に複数の穿孔を施すことができ、また、把手を握って本考案による庭園穿孔用装置を一旦持ち上げて地面表層部の所望の他の場所の表面上に立てさえすれば、把手を上から押し付けなくても、地面表面層の所望の他の場所に穿孔を容易に施すことができる。【００１１】  また、本考案による庭園穿孔用装置によれば、市販の家庭用小型電動ドリルを用いているので電動ドリルを廉価に容易に入手することができ、または、市販の家庭用小型電動ドリルとして、手持ちの家庭用小型電動ドリルを用いることができ、そして、家庭用小型電動ドリルが支柱に着脱自在に取付けられているので、随時、家庭用小型電動ドリルを支柱から取り外し、それを本来の家庭用小型電動ドリルとして利用することができる。【００１２】  さらに、本考案による庭園穿孔用装置によれば、複数の庭園穿孔用ドリル本体がドリル駆動機構収容部の複数の出力用軸に着脱自在に取付けられているので、使用によって、複数の庭園穿孔用ドリル本体中の一の庭園穿孔用ドリル本体に破損が生ずれば、その破損した庭園穿孔用ドリル本体を新たな庭園穿孔用ドリル本体に容易に交換することができ、また、そのように交換しさえすれば、本考案による庭園穿孔用装置を不必要に破棄しなくても済む。【００１３】  また、本考案による庭園穿孔用装置によれば、家庭用小型電動ドリルの駆動を、把手に取付けられた駆動用電源スイッチ、すなわち手元の駆動用電源スイッチのオン・オフによって容易に制御することができるので、地面表層部への穿孔作業を円滑に行うことができる。
【実施例１】
【００１４】  次に図面を伴って、本考案による庭園穿孔用装置の実施例を述べよう。
本考案による庭園穿孔用装置の実施例においては、平らな下面２を有する偏平な四角形ケース状体でなるドリル駆動機構収容部１を有する。【００１５】  このドリル駆動機構収容部１は、ドリル駆動機構３を収容し、そのドリル駆動機構３は、図３に示すように、ドリル駆動機構収容部１内の上方からみた中央部に配された主歯車４と、同じく上方からみた前半部左及び右にそれぞれ配された従歯車５１及び５２と、同じく上方からみた後半部左及び右にそれぞれ配された従歯車５３及び５４と、主歯車４から４個の従歯車５１、５２、５３及び５４にめぐらされている無端ベルトまたは無端チェーン６とを有するとともに、主歯車４の軸に取付けられてドリル駆動機構収容部１の下面２に対して垂直に上方に臨んで延長している入力用軸または入力用軸受７と、４個の従歯車５１、５２、５３及び５４の軸にそれぞれ取付けられてドリル駆動機構収容部１の下面２に対して垂直に下方に臨んで延長している４個の出力用軸または出力用軸受８１、８２、８３及び８４とを有する。
この場合、従歯車５１及び５２間間隔、５３及び５４間間隔は８〜１２ｃｍ程度であるのを可とする。なお、このことからドリル駆動機構収容部１の上方からみた縦横幅は１５〜２０ｃｍ程度でよいものとなる。【００１６】  また、本考案による庭園穿孔用装置の実施例においては、ドリル駆動機構収容部１の４個の出力用軸または出力用軸受８１、８２、８３及び８４に、ドリル駆動機構収容部１の下面２と垂直に下方に延長するようにそれぞれ着脱自在に取付けられている４個の庭園穿孔用ドリル本体９１、９２、９３及び９４を有する。
ここで、庭園穿孔用ドリル本体９１〜９４は、一般の電動ドリルにもまた後述する家庭用小型電動ドリル１４にも着脱自在に取付けられて使用され得るように用意されているのを普通とする周知の木工用ドリル本体に準じた形状及び構造を有し、よって、その構造についてこれ以上の詳細説明は省略する。【００１７】  また、出力用軸または出力用軸受８１〜８４に庭園穿孔用ドリル本体９１〜９４を着脱自在に取付けるための手段は、一般の市販の電動ドリルの先端にもまた後述する市販の家庭用小型電動ドリル１４の先端にも種々のドリル本体が着脱自在に取付けられるようになされている周知の手段と同様とし得、よって、その手段についてこれ以上の詳細説明は省略する。【００１８】  さらに、本考案による庭園穿孔用装置の実施例においては、ドリル駆動機構収容部１にその上面左半部及び右半部の前後方向の中央位置からそれと一体に上方に延長して取り付けられている２本の支柱１０Ｌ及び１０Ｒと、それら支柱１０Ｌ及び１０Ｒにそれらの上端においてそれらを橋架して左右に延長している態様にそれらと一体に取り付けられている把手１１と、支柱１０Ｌ及び１０Ｒの延長途上においてそれら間に延長している補強用杆１２とを有する。
ここで、支柱１０Ｌ及び１０Ｒ、把手１１及び補強杆１２は、ともに外径２〜３ｃｍ程度であるのを可とする太さの樹脂製のパイプでなる。【００１９】  また、本考案による庭園穿孔用装置の実施例においては、支柱１０Ｌ及び１０Ｒに、取付具１３Ｌ及び１３Ｒを用いて着脱自在に取り付けられている市販の家庭用小型電動ドリル１４を有する。【００２０】  この家庭用小型電動ドリル１４は、その下部遊端に着脱自在に取付けられて下方に延長しているドリル本体１４１と、後方に延長している把手１４２と、その把手１４２から外部に延長している遊端に電源プラグ１４４を取付けている電源コード１４３とを有し、そして、ドリル本体１４１をその遊端においてドリル駆動機構収容部１に収容されているドリル駆動機構３の入力用軸または入力用軸受７に着脱自在に取付けられている状態で、支柱１０Ｌ及び１０Ｒに、取付具１３Ｌ及び１３Ｒを用いて着脱自在に取付けられている。【００２１】  ここで、ドリル本体１４１をドリル駆動機構収容部１に収容されているドリル駆動機構３の入力用軸または入力用軸受７に着脱自在に取付けるための手段は、前述した庭園穿孔用ドリル本体９１〜９４をドリル駆動機構収容部１に収容されたドリル駆動機構３の出力用軸または出力用軸受８１〜８４に着脱自在に取付けるための手段と同様とし得、よって、その手段についてこれ以上の詳細説明は省略する。【００２２】  また、取付具１３Ｌは、図４Ａ及びＢに示すような、上半左部及び右部にそれぞれ取付具挿通用長孔１４ＬＬ及び１４ＬＲを左右方向に延長して穿設しているとともに下半左部及び右部にもそれぞれ取付具挿通用長孔１５ＬＬ及び１５ＬＲを左右方向に延長して穿設している、支柱１０Ｌ及び１０Ｒの外径よりも幅広の支柱取付用板部１６Ｌと、その右側縁からそれと一体に後方に延長しているドリル押え用板部１７Ｌとからなる左Ｌアングル１８Ｌと、図４Ｃ及びＤに示すような、相対向する左及び右脚部２０ＬＬ及び２０ＬＲとそれら左及び右脚部２０ＬＬ及び２０ＬＲの遊端外周にそれぞれ付された螺子２１ＬＬ及び２１ＬＲとを有する左Ｕ字状取付具１９Ｌと、その左Ｕ字状取付具１９Ｌと同様の、相対向する左及び右脚部３０ＬＬ及び３０ＬＲとそれら左および右脚部３０ＬＬ及び３０ＬＲの遊端外周にそれぞれ付された螺子３１ＬＬ及び３１ＬＲとを有する左Ｕ字状取付具２９Ｌと、図４Ｅに示すような、左Ｕ字状取付具１９Ｌの螺子２１ＬＬ及び２１ＬＲにそれぞれ螺合する左締付用ナット２２ＬＬ及び左受用ナット２２ＬＲと、左Ｕ字状取付具２９Ｌの螺子３１ＬＬ及び３１ＬＲにそれぞれ螺合する左締付用ナット３２ＬＬ及び左受用ナット３２ＬＲとを有する。【００２３】  また、取付具１３Ｒは、取付具１３Ｒと同様の、図４Ｅ及びＦに示すような、上半左部及び右部にそれぞれ取付具挿通用長孔１４ＲＬ及び１４ＲＲを穿設しているとともに下半左部及び右部にもそれぞれ取付具挿通用長孔１５ＲＬ及び１５ＲＲを穿設している、支柱１０Ｌ及び１０Ｒの外径よりも幅広の支柱取付用板部１６Ｒと、その左側縁からそれと一体に後方に延長しているドリル押え用板部１７Ｒとからなる右Ｌアングル１８Ｒと、図４Ｇ及びＨに示すような、相対向する左及び右脚部２０ＲＬ及び２��ＲＲとそれら左及び右脚部２０ＲＬ及び２０ＲＲの遊端外周にそれぞれ付された螺子２１ＲＬ及び２１ＲＲとを有する右Ｕ字状取付具１９Ｒと、その右Ｕ字状取付具１９Ｒと同様の、相対向する左及び右脚部３０ＲＬ及び３０ＲＲとそれら左及び右脚部３０ＲＬ及び３０ＲＲの遊端外周にそれぞれ付された螺子３１ＲＬ及び３１ＲＲとを有する右Ｕ字状取付具２９Ｒと、図４Ｉに示すような右Ｕ字状取付具１９Ｒの螺子２１ＲＬ及び２１ＲＲにそれぞれ螺合する右受用ナット２２ＲＬ及び右締付用ナット２２ＲＲと、右Ｕ字状取付具２９Ｒの螺子３１ＲＬ及び３１ＲＲにそれぞれ螺合する右受用ナット３２ＲＬ及び右締付用ナット３２ＲＲとを有する。【００２４】  そして、上述した家庭用小型電動ドリル１４が上述した取付具１３Ｌ及び１３Ｒを用い、次に述べるステップをとって、支柱１０Ｌ及び１０Ｒに着脱自在に取付けられている。【００２５】  すなわち、まず、取付具１３Ｌの左Ｌアングル１８Ｌのドリル押え用板部１７Ｌを支柱１０Ｌの右側に在らしめた状態で、支柱取付用板部１６Ｌを支柱１０Ｌにその前方から当てがい、次で、左Ｕ字状取付具１９Ｌの左及び右脚部２０ＬＬ及び２０ＬＲを、支柱１０Ｌの後方から、左Ｌアングル１８Ｌの支柱取付板部１６Ｌの取付具挿通用長孔１４ＬＬ及び１４ＬＲにそれぞれ緩挿し、それら左及び右脚部２０ＬＬ及び２０ＬＲの遊端の螺子２１ＬＬ及び２１ＬＲにそれぞれ左締付用ナット２２ＬＬ及び左受用ナット２２ＬＲを仮螺着しておくとともに、左Ｕ字状取付具２９Ｌの左及び右脚部３０ＬＬ及び３０ＬＲを、同様に支柱１３Ｌの後方から、左Ｌアングル１８Ｌの支柱取付板部１６Ｌの取付具挿通用長孔１５ＬＬ及び１５ＬＲにそれぞれ挿通し、それら左及び右脚部３０ＬＬ及び３０ＬＲの遊端の螺子３１ＬＬ及び３１ＬＲにそれぞれ左締付用ナット３２ＬＬ及び左受用ナット３２ＬＲを仮螺着しておく。【００２６】  また、取付具１３Ｒの右Ｌアングル１８Ｒのドリル押え用板部１７Ｒを支柱１０Ｒの左側に在らしめた状態で、支柱取付用板部１６Ｒを支柱１０Ｒにその前方から当てがい、次で、右Ｕ字状取付具１９Ｒの左及び右脚部２０ＲＬ及び２０ＲＲを、支柱１３Ｒの後方から、右Ｌアングル１８Ｒの支柱取付板部１６Ｒの取付具挿通用長孔１４ＲＬ及び１４ＲＲにそれぞれ緩挿し、それら左及び右脚部２０ＲＬ及び２０ＲＲの遊端の螺子２１ＲＬ及び２１ＲＲにそれぞれ右受用ナット２２ＲＬ及び右締付用ナット２２ＲＲを仮螺着しておくとともに、右Ｕ字状取付具２９Ｒの左及び右脚部３０ＲＬ及び３０ＲＲを、同様に支柱１３Ｒの後方から、右Ｌアングル１８Ｒの支柱取付板部１６Ｒの取付具挿通用長孔１５ＲＬ及び１５ＲＲにそれぞれ挿通し、それら左及び右脚部３０ＲＬ及び３０ＲＲの遊端の螺子３１ＲＬ及び３１ＲＲにそれぞれ右受用ナット２２ＲＬ及び右締付用ナット２２ＲＲを仮螺着しておく。【００２７】  次に、家庭用小型電動ドリル１４を、取付具１３Ｌの押え板部１７Ｌと取付具１３Ｒの押え板部１７Ｒとの間に配し、そして、家庭用小型電動ドリル１４のドリル本体１４１をドリル駆動機構収容部１に収容されているドリル駆動機構３の入力用軸または入力用軸受７に着脱自在に連結した状態にする。【００２８】  次に、取付具���３Ｌの左Ｌアングル１８Ｌのドリル押え用板部１７Ｌと取付具１３Ｒの右Ｌアングル１８Ｒのドリル押え用板部１７Ｒとが家庭用小型電動ドリル１４を挟持するように、取付具１３Ｌの左Ｌアングル１８Ｌの支柱取付用板部１６Ｌの取付具挿通用長孔１４ＬＬ及び１４ＬＲ、及び１５ＬＬ及び１５ＬＲ内にそれぞれ緩挿されている取付具１３Ｌの左Ｕ字状取付具１９Ｌ、及び２９Ｌの左右位置、及び取付具１３Ｒの右Ｌアングル１８Ｒの支柱取付用板部１６Ｒの取付具挿通用長孔１４ＲＬ及び１４ＲＲ、及び１５ＲＬ及び１５ＲＲ内にそれぞれ緩挿されている取付具１３Ｒの右取付具１９Ｒ、及び２９Ｒの左右位置をそれぞれ調整して、取付具１３Ｌの左Ｕ字状取付具１９Ｌの左脚部２０ＬＬに付された螺子２１ＬＬ、及び左Ｕ字状取付具２９Ｌの左脚部３０ＬＬに付された螺子３１ＬＬにそれぞれ仮螺着している取付具１３Ｌの左締付用ナット２２ＬＬ、及び３２ＬＬを締付けるとともに、取付具１３Ｌの左Ｌアングル１８Ｌの支柱取付用板部１６Ｌの取付具挿通用長孔１４ＬＬ及び１４ＬＲ、及び１５ＬＬ及び１５ＬＲ内にそれぞれ緩挿されている取付具１３Ｌの左Ｕ字状取付具１９Ｌ、及び２９Ｌの左右位置、及び取付具１３Ｒの右Ｌアングル１８Ｒの支柱取付用板部１６Ｒの取付具挿通用長孔１４ＲＬ及び１４ＲＲ、及び１５ＲＬ及び１５ＲＲ内にそれぞれ緩挿されている取付具１３Ｒの右取付具１９Ｒ、及び２９Ｒの左右位置をそれぞれ調整して、取付具１３Ｌの左Ｕ字状取付具１９Ｌの左脚部２０ＬＬに付された螺子２１ＬＬ、及び左Ｕ字状取付具２９Ｌの左脚部３０ＬＬに付された螺子３１ＬＬにそれぞれ仮螺着している取付具１３Ｌの左締付用ナット２２ＬＬ、及び３２ＬＬを締付け、それによって、家庭用小型電動ドリル１４が、支柱１０Ｌ及び１０Ｒに着脱自在に取付けられている。【００２９】  また、本考案による庭園穿孔用装置の実施例においては、把手１１に取り付けられた家庭用小型電動ドリル１４を駆動させるための駆動用電源スイッチ４０を有する。
この駆動用電源スイッチ４０は、図示のように、把手１１が人手によって把持される位置に配され、把手１１が人手によって駆動用電源スイッチとともに把持されたときにスイッチオンされるようになされている。【００３０】  さらに、本考案による庭園穿孔用装置の実施例は、支柱１０Ｒ及び１０Ｌに上述したように支持されている家庭用小型電動ドリル１４に、次に述べるように構成されていることによって、把手１１に取付けられている駆動用電源スイッチ４０を介して、駆動用商用電源が供給されるようになされている。【００３１】  すなわち、支柱１０Ｒに、電源コード挿通係留孔６１及び６２を有する電源コード係留板６０が、つば付きＵ字状具６３及び６４とそれらつば付きＵ字状具６３及び６４に電源コード係留板６０の厚さを横切って螺合する螺子６５及び６６とを用いて、支柱１０Ｒの右側に取付けられ、そして、把手１１に取付けられている駆動用電源スイッチ４０の一端から、電源コード７１が、把手１１内及び支柱１０Ｒ内を通り、次で支柱１０Ｒに予め穿設されているコード挿通孔６６を通り、次で電源コード挿通係留孔６１内を通って延長し、その電源コード７１の遊端に、電源プラグ受け７２が取付けられ、また、駆動用電源スイッチ４０の他端から、他の電源コード７３が、把手１１内及び支柱１０Ｒ内を通り、次で支柱１０Ｒに予め穿設しているコード挿通孔（図示せず）を通り、次で電源コード挿通係留孔６２内を通って延長し、その電源コード７３の遊端に電源プラグ７４が取付けられていることによって、家庭用小型電動ドリル１４から延長している電源コード１４３の遊端に取付けられている電源プラグ１４４を電源プラグ受け７２に差し込むとともに、電源プラグ７４を交流電源コンセント（図示せず）に差し込み、次で、把手１１を人手によって把持すれば、駆動用電源スイッチ４０がスイッチオンするので、電源コンセントから、家庭用小型電動ドリル１４に、駆動用電源スイッチ４０を介して交流電源が供給されるようになされている。【００３２】  さらに、本考案による庭園穿孔用装置の実施例においては、ドリル駆動機構収容部１に上下位置調整自在に取付けられている、庭園穿孔用ドリル本体９１〜９４による地面表層部への穿孔の深さを制限するストッパ５０を有する。
このストッパ５０は、Ｕ字状を有し、その相対向する脚部５１及び５２の遊端部においてドリル駆動機構収容部１の前面上端部及び後面（背面）上端部に上下位置調整自在に固定されている。なお、ストッパ５０がその相対向する脚部５１及び５２の遊端部においてドリル駆動機構収容部１の前面上端部及び後面上端部に上下位置調整自在に固定する手段は、図示のように、ストッパ５０の相対向する脚部５１及び５２の遊端部に上下方向に延長している長孔５３及び５４がそれぞれ穿設され、そして、帽子付螺子５５及び５６が、ドリル駆動機構収容部１の前面上端部及び後面上端部に、長孔５３及び５４をそれぞれ通じて螺着している構成とし得る。【００３３】  以上で、本考案による庭園穿孔用装置の実施例の構成が明らかとなった。
このような構成を有する本考案による庭園穿孔用装置の実施例によれば、次に述べる作用・効果が得られる。【００３４】  すなわち、図を伴って上述した本考案による庭園穿孔用装置の実施例によれば、４本の庭園穿孔用ドリル本体９１〜９４を有し、そして、相隣る庭園穿孔用ドリル本体９１及び９２間間隔、９１及び９３間間隔、９２及び９４間間隔及び９３及び９４間間隔は８〜１２ｃｍ程度であればよいとされていることから、ドリル駆動機構収容部１の縦横幅は、１５〜２０ｃｍ程度でよく、また、ドリル駆動機構収容部１が収容しているドリル駆動機構３は、入力用軸７に取付けられた主歯車４と、４個の出力用軸または出力用軸受８１〜８４にそれぞれ取付けられた複数の従歯車５１〜５４と、主歯車４から４個の従歯車５１〜５４にめぐらされている無端ベルトまたは無端チェーン６とを有する構成であればよいので、ドリル駆動機構収容部１は、薄い厚さでよく、小型軽量になるものである。【００３５】  また、家庭用小型電動ドリル１４は、字句通り家庭用であることから小型軽量であり、さらに、支柱は外径２〜３ｃｍ程度であるのを可とする太さの樹脂製パイプでよいことから、小型軽量であり、他に大型重量化する部材を有しない。【００３６】  以上のことから、図を伴って上述した本考案による庭園穿孔用装置の実施例によれば、それを、４本の庭園穿孔用ドリル本体９１〜９４の先端が地面表層部の表面上に立っている状態から、把手１１を把持して容易に持ち上げることができ、よって、４本の庭園穿孔用ドリル本体を地面表層部の所望の位置に容易に立てることができ、そして、その状態で駆動用電源スイッチ４０とともに把持しさえすれば、駆動用電源スイッチ４０がオンするので、把手を上から押し付けなくても、庭園穿孔用ドリル本体９１〜９４が木工用ドリル本体に準じた形状及び構造を有することから、地面表層部の所望の位置に円滑に４個の穿孔を施すことができ、また、把手を把持して本考案による庭園穿孔用装置の実施例を一旦持ち上げて地面表層部の所望の他の場所の表面上に立てさえすれば、把手を上から押し付けなくても、地面表面層の所望の他の場所に穿孔を容易に施すことができる。【００３７】  また、図を伴って上述した本考案による庭園穿孔用装置によれば、市販の家庭用小型電動ドリル１４を用いているので電動ドリルを廉価に容易に入手することができ、または、市販の家庭用小型電動ドリル１４として、手持ちの家庭用小型電動ドリルを用いることができ、そして、家庭用小型電動ドリル１４が支柱１０Ｌ及び１０Ｒに着脱自在に取付けられているので、随時、家庭用小型電動ドリル１４を支柱１０Ｌ及び１０Ｒから取り外し、それを本来の家庭用小型電動ドリルとして利用することができる。【００３８】  さらに、図を伴って上述した本考案による庭園穿孔用装置によれば、複数の庭園穿孔用ドリル本体９１〜９４がドリル駆動機構収容部１の出力用軸または出力用軸受８１〜８４に着脱自在に取付けられているので、使用によって、４本の庭園穿孔用ドリル本体９１〜９４中の一の庭園穿孔用ドリル本体に破損が生ずれば、その破損した庭園穿孔用ドリル本体を新たな庭園穿孔用ドリル本体に容易に交換することができ、また、そのように交換��さえすれば、本考案による庭園穿孔用装置の実施例を不必要に破棄しなくても済む。【００３９】  また、図を伴って上述した本考案による庭園穿孔用装置によれば、家庭用小型電動ドリル１４の駆動を、把手に取付けられた駆動用電源スイッチ４０、すなわち手元の駆動用電源スイッチのオン・オフによって容易に制御することができるので、地面表層部への穿孔作業を円滑に行うことができる。【００４０】  さらに、図を伴って上述した本考案による庭園穿孔用装置によれば、庭園穿孔用ドリル本体９１〜９４による地面表層部への穿孔の深さを制限するストッパ５０を有し、それがドリル駆動機構収容部１に上下位置調整自在に取付けられているので、その上下位置調整によって、地面表層部にエアレーション効果、排水効果、植物根茎切断効果などを適切に与えることができる深さの穿孔を、容易に施すことができる。
【変型変更】
【００４１】  上述した本考案による庭園穿孔用装置の実施例においては、本考案による庭園穿孔用装置の１つの実施例を示したに過ぎず、ドリル駆動機構収容部１が収容しているドリル駆動機構３が有する複数の出力用軸または出力用軸受の数を２以上８以下とし、これに応じ、複数の庭園穿孔用ドリル本体の数を２以上８以下とすることもでき、また、支柱に市販の家庭用小型電動ドリルを着脱自在に取付けるための取付具は、支柱に容易に着脱自在に取付け得る構成であれば、図４で上述した構成に限らず、その他、本考案の精神を脱することなしに、種々の変型・変更をなし得るであろう。
【産業上の利用可能性】
【００４２】  本考案による庭園穿孔用装置は、庭園の芝植生地面表層部ばかりでなく、他の種々の地面表層部にも、その表面から多数の穿孔を施すのに、広く利用することができる。
【図面の簡単な説明】
【００４３】
【図１】本考案による庭園穿孔用装置の実施例を示す略線的正面図である。
【図２】本考案による庭園穿孔用装置の実施例を示す略線的右側面図である。
【図３】本考案による庭園穿孔用装置の実施例のドリル駆動機構収容部が収容しているドリル駆動機構を示す略線的平面図である。
【図４】本考案による庭園穿孔用装置の実施例の取付具の左Ｌアングル（図４Ａ及びＢ）、右Ｌアングル（図４Ｆ及びＧ）、左Ｕ字状取付具（図４Ｃ及びＤ）、右Ｕ字状取付具（図４Ｈ及びＩ）、左受用ナット及び左締付用ナット（図４Ｅ）、右受用ナット及び右締付用ナット（図４Ｊ）を示す図である。
【符号の説明】
【００４４】１              ドリル駆動機構収容部
２              ドリル駆動機構収容部１の下面
３              ドリル駆動機構
４              主歯車
７              入力用軸
１０Ｌ、１０Ｒ  支柱
１１            把手
１２            補強杆
１３Ｌ、１３Ｒ  取付具
１４            家庭用小型電動ドリル
１４ＬＬ、１４ＬＲ    取付具挿通用長孔
１４ＲＬ、１４ＲＲ    取付具挿通用長孔
１５ＬＬ、１５ＬＲ    取付具挿通用長孔
１５ＲＬ、１５ＲＲ    取付具挿通用長孔
１６Ｌ、１６Ｒ  支柱取付用板部
１７Ｌ、１７Ｒ  ドリル押え用板部
１８Ｌ          左Ｌアングル
１８Ｒ          右Ｌアングル
１９Ｌ          左Ｕ字状取付具
１９Ｒ          右Ｕ字状取付具
２０ＬＬ、２０ＬＲ    左及び右脚部
２０ＲＬ、２０ＲＲ    左及び右脚部
２１ＬＬ、２１ＬＲ    螺子
２１ＲＬ、２１ＲＲ    螺子
２２ＬＬ        左締付用ナット
２２ＬＲ        左受用ナット
２２ＲＬ        右受用ナット
２２ＲＲ        右締付用ナット
２９Ｌ          左Ｕ字状取付具
２９Ｒ          右Ｕ字状取付具
３０ＬＬ、３０ＬＲ    左及び右脚部
３０ＲＬ、３０ＲＲ    左及び右脚部
３１ＬＬ、３１ＬＲ    螺子
３１ＲＬ、３１ＲＲ    螺子
３２ＬＬ        左締付用ナット
３２ＬＲ        左受用ナット
３２ＲＬ        右受用ナット
３２ＲＲ        右締付用ナット
５０            ストッパ
５１〜５４      従歯車
８１〜８４      出力用軸
９１〜９４      庭園穿孔用ドリル本体
１４１          ドリル本体
１４２          把手
１４３          電源プラグ
１４４          電源プラグ
【図１】
0003169109.tif 000003
【図２】
0003169109.tif 000004
【図３】
0003169109.tif 000005
【図４】
0003169109.tif 000006